(57)【特許請求の範囲】
【請求項１】
カ−ボンブラック配合の黒色インキ100重量部に対して、ボルネオ−ル0.01〜20重量部添加してなる書道墨臭インキ組成物。
【請求項２】
請求項１記載の黒色インキが、オフセットインキである書道墨臭インキ組成物。
【請求項３】
請求項１記載の書道墨臭インキ組成物を用いて得られる印刷物。
【請求項４】
請求項１記載の黒色インキが、インクジェットインキである書道墨臭インキ組成物。
【請求項５】
請求項２記載に於いて、ボルネオ−ルをメラミン樹脂又はゼラチンにより内包カプセル化し、これを添加したものである書道墨臭オフセットインキ組成物。
【発明の詳細な説明】
【０００１】
【発明の属する技術分野】
本発明は、カ−ボンブラックを用い印刷した書物に、書道用墨を使用し清書したときに感じる香気を汎用印刷物にも付与するインキ及びその印刷物である。
【０００２】
【従来の技術】
従来より、書道や習字で用いる固形墨は、硯に水を加えて墨を摺った際、また筆に付けて白い半紙に清書するときに墨からの香気を感じ、心の落ち着きを高めてくれる独特の雰囲気を持っており、更に固形墨に各種の香料を配合することで一層優雅な香気が発揮されたものが得られている。
【０００３】
しかし、書道や習字の際に手本となる印刷物については、従来より汎用の印刷方法により製造されており、このために、書道や習字で墨を摺ったときに感じられる独特な香気を所持していない。
このことは、汎用のオフセット印刷物や最近技術開発が盛んなインクジェットによる印刷物にも、この様な特徴が全く見出されない。
【０００４】
【発明が解決しようとする課題】
そこで本発明者らは、固形墨を使用して、清書したときに感じられる心の落ち着きをカ−ボンブラック配合のインキを用い得られる汎用の印刷物についても、同様の効果が得られる様に検討したのである。
【０００５】
【課題を解決するための手段】
即ち、請求項１は、カ−ボンブラック配合の黒色インキにボルネオ−ルを添加してなる書道墨臭インキ組成物である。
本発明で使用のカ−ボンブラックとしては、従来よりインキ製造の際に使用している銘柄のものであれば良く、黒色インキとしては、平版印刷インキ、グラビアインキ、凸版印刷インキ、スクリ−ン印刷インキ、インクジェット用インク等各種インキが挙げられる。
この際に使用するカ−ボンブラックの粒径は、インキの種類によって異なるが、従来より使用されているものであれば良い。
【０００６】
例えばオフセットインキに用いるカ−ボンブラックの粒径としては、10〜70ｎｍ程度の粉状又は粒状で、吸油量、比表面積、揮発分などの物理化学特性がオフセットインキの黒色度、光沢、ト−ン、粒度、タック、流動特性、及び印刷適性を満たすものであれば良い。尚、この際に黒色度を増す手段として、更にアルカリブル−ト−ナ−、シアニンブル−等の顔料を添加しても良い。
又、インクジェット用インキに用いるカ−ボンブラックとしては、その粒径は従来より汎用されている大きさの程度のものであれば良い。
又、水性タイプでは、カ−ボンブラックメ−カ−から供給されるインクジェット用カ−ボンブラック水性分散体を利用しても良い。
【０００７】
本発明で使用するボルネオ−ルは、下記の化１で示される通り樟脳を水素還元して得られるCAS番号507-70-0の物質である。又、天然物としては竜脳樹から採取されている。尚、本発明で使用するボルネオ−ルは、これを主成分とする混合物でも良い。
ボルネオ−ルの配合量は、カ−ボンブラック配合の黒色インキ100重量部に対して、0.01〜20重量部添加すれば良い。この際に、添加量が0.01重量部以下であると香気が発揮されず、20重量部より多くすると優雅な香気が失われてしまい好ましくない。
本願発明の書道墨臭インキは、ボルネオ−ルを添加することで、固形墨と同様の香気を感じるものである。
【０００８】
【化１】
0004786025.tif 000002
【０００９】
請求項２は、請求項１記載の黒色インキが、オフセットインキである書道墨臭インキ組成物である。
請求項２記載で使用のオフセットインキは、従来より使用されているカ−ボンブラック配合のものであれば何れでも良い。又、ボルネオ−ルの添加は、インキ製造の際に同時でも、得られたオフセットインキに添加しても良い。
【００１０】
請求項３は、請求項１記載の書道墨臭インキ組成物を用いて得られる印刷物である。この様にして得られた印刷物は、その印刷面から固形墨を摺った際や清書の際に感じる心の落ち．着きを効果良く与えてくれるものである。この様に手本となる印刷物からも、固形墨の持つ独特の香気を発散することで、従来にない落ち着いた雰囲気で書道を行うことが可能になったのである。
【００１１】
請求項４は、請求項１記載の黒色インキが、インクジェットインキである書道墨臭インキ組成物である。
本発明で使用するインクジェットインキとしては、その媒体が水系でも非水系でも良く、少なくともカ−ボンブラック及びボルネオ−ルを含有してなるものである。
ボルネオ−ルの添加は、インクジェットインキ製造の際でも、得られたインクジェットインキに配合しても良い。
【００１２】
請求項５は、請求項１記載に於いて、ボルネオ−ルをメラミン樹脂又はゼラチンにより内包カプセル化し、これを添加したものである書道墨臭オフセットインキ組成物である。
ボルネオ−ルをメラミン樹脂又はゼラチンにより内包カプセル化する技術は、従来より汎用されている方法で行えば良い。
【００１３】
請求項５記載で使用のオフセットインキは、従来より使用されているカ−ボンブラック配合のものであればいずれでも良い。又、カプセル化されたボルネオ−ルの添加は、インキ製造の際でも、得られたオフセットインキに加えても良い。
本発明の書道墨臭インキの製造には、インキの種類により使用する機械装置が異なるが、いずれも従来より汎用の機械・器具等を使用して製造すれば良い。
【００１４】
以下に実施例及び比較例を述べる。
実施例１
下記の配合割合からなるカ−ボンブラック配合のオセット用墨インキ100重量部に、ボルネオ−ル2重量部添加し、三本ロ−ルで練り混み書道墨臭オフセットインキ組成物を得た。
カ−ボンブラック                   20重量部
アルカリブル−トナ−                5重量部
ロジン変性フェノ−ル樹脂ワニス     62重量部
アルキッド樹脂ワニス                5重量部
石油系高沸点溶剤                    5重量部
その他添加剤                        3重量部
及び
ボルネオ−ル                        2重量部
【００１５】
該インキ組成物を枚葉印刷機（小森コ−ポレション社製：リスロン40）で、オフセット用コ−ト紙及び上質紙に印刷して書道手本帳を製造した。
これらの書道手本帳は、固形墨の持つ香気と同様の香気を所持しており、書道手本として最適である。
【００１６】
実施例２
インクジェット用カ−ボンブラック水分散体（キャボット社製：CAB−O−JET300、平均粒径0.15μｍ）25重量部、スチレン−アクリル系樹脂水溶液（ジョンソンポリマ−社製品：ジョンクリル63）7重量部、グリセリン10重量部及びイオン交換水56重量部からなるインクジェット用インキの組成物に、ボルネオ−ル2重量部を加え十分に混合し、本願発明の書道墨臭インキ組成物を得た。
該インキ組成物を、バブル方式のプリンタ−を用いてインクジェット用専用紙に印刷して書道手本帳を製造した。
この手本帳の印刷面は、常に固形墨と同様の香気を持っており、書道用の書籍として最適な印刷物である。
【００１７】
実施例３
メラミン−ホルムアルデヒト初期縮合物の水溶液に、無水マレイン酸共重合体を少量の水酸化ナトリウム共に溶解した水溶液中にボルネオ−ルを加え乳化した溶液を加え、75℃で2時間かき混ぜボルネオ−ルを内包したカプセルを得た後に、これを濾過乾燥しカプセル粉末を得た。
該カプセル粉末を、実施例１で製造したカ−ボンブラック配合のオフセットインキに加え混合して書道墨臭オフセットインキ組成物を得た。尚、オフセットインキとボルネオ−ルの配合割合は、100：5である。
【００１８】
該インキ組成物を用い、オフセット用コ−ト紙及び上質紙に印刷して書道用手本帳を作成した。
これらの手本帳からは、固形墨を硯で摺った液から感じる香気に劣らぬ優雅な匂いが、長期間使用しても手本を開く度に発散されている。
【００１９】
実施例４
ボルネオ−ルとゼラチンとを混合撹拌することによって、ボルネオ−ルをゼラチン液で包み込み、通常の方法で平均粒径5μｍのカプセルを得た後に、これを濾過乾燥しカプセル粉末を得た。
次いで該カプセル粉末と粘着剤（ヘキスト合成株式会社製品：モビニ−ル）を実施例１で製造のカ−ボンブラック配合のオフセットインキ中に添加混合して、本発明の書道墨臭オフセットインキ組成物を得た。尚、オフセットインキとボルネオ−ルの配合割合は、100：5である。
【００２０】
該インキ組成物を用いて、オフセット用上質紙及び上質紙に印刷して書道用手本帳を作成した。
これらの手本帳からは、固形墨を硯で摺った液から感じる香気に劣らぬ優雅な匂いが、長期間使用しても手本を開く度に発散されている。
【００２１】
比較例１
実施例１において、ボルネオ−ルの使用量を0.0005重量部とする以外は、実施例１と同じである。
得られたインキを用いて、オフセット用コ−ト紙及び上質紙に印刷して書道用手本帳を作成した。
これらの手本帳からは、固形墨を硯で摺った液から感じる香気が全く感じられなかった。
【００２２】
比較例２
実施例１において、ボルネオ−ルの使用量を25重量部とする以外は、実施例１と同じである。
得られたインキを用いて、オフセット用コ−ト紙及び上質紙に印刷して書道用手本帳を作成した。
これらの手本帳からは、固形墨を硯で摺った液から感じる優雅な香気が全く感じられなかった。
【００２３】
【発明の効果】
本願発明は、手本となる印刷物に固形墨の持つ独特な香気を持たせることで、書道や習字を行う際に、従来にない落ち着いた雰囲気での清書が可能になったのである。